(57)【特許請求の範囲】
【請求項１】
第１係合部（１１）を有する鈎部材（２）と、前記鈎部材（２）に回動可能かつ抜脱不能に連結された取付環部材（３）と、前記鈎部材（２）に旋回可能に連結され、前記鈎部材（２）との間に介在保持されたばねを介して、前記第１係合部（１１）に離反可能に弾性的に圧接する第２係合部（１７）を有する閉止部材（４）とを含み、前記鈎部材（２）と前記取付環部材（３）とが直列状態に対向する縦方向（Ｙ）と、これに直交する横方向（Ｘ）とを有する袋物用なす環において、
前記鈎部材（２）は、前記取付環部材（３）の側に位置する端部（６）と、前記端部（６）上に位置する軸部（７）と、前記端部（６）及び前記軸部（７）を前記縦方向（Ｙ）へ貫通するピン孔（９）と、前記鈎部材（２）の先端内面に前記第１係合部（１１）を有する鈎部（１０）と、前記閉止部材（４）の側に開口し前記ピン孔（９）と連通する凹溝部（１８）とを含み、
前記取付環部材（３）は、前記鈎部材（２）の前記軸部（７）に回動可能かつ抜脱不能に連結する円筒連結部（１４）を含み、
前記閉止部材（４）は、前記鈎部材（２）の前記凹溝部（１８）に摺動かつ旋回可能に嵌入される基部（１６ａ）及び該基部から前記横方向（Ｘ）へ延びる長い係合孔（１５）を有する連係部（１６ｂ）と、前記閉止部材（４）の先端外面に前記第２係合部（１７）とを含み、
前記ばねとして、圧縮コイルばね（２５）を備え、前記圧縮コイルばね（２５）は、前記鈎部材（２）の前記端部（６）の近傍の内面部位と該部位と対向する前記閉止部材（４）の内面部位との間に圧縮状態で介在して支持され、
前記鈎部材（２）のピン孔（９）には、前記鈎部材（２）の前記軸部（７）及び前記端部（６）を経て、前記凹溝部（１８）に位置する前記閉止部材（４）の前記連係部（１６ｂ）の前記係合孔（１５）を貫通する保持ピン（２４）が挿入固定され、
前記閉止部材（４）は、前記保持ピン（２４）を中心に前記圧縮コイルばね（２５）の作用に抗して旋回することにより、前記閉止部材（４）の前記第２係合部（１７）が、前記鈎部材（２）の前記第１係合部（１１）に離反可能に圧接して係合することを特徴とする前記なす環。
【請求項２】
前記鈎部材（２）の前記軸部（７）は、前記取付環部材（３）の側に鍔部（８）を有し、前記取付環部材（３）の前記円筒連結部（１４）は、前記鍔部（８）が係合する係合開口（１３）を該円筒連結部の両側部に有し、その係合により、前記鈎部材（２）と前記取付環部材（３）との相対的抜脱を阻止されている請求項１に記載のなす環。
【請求項３】
前記保持ピン（２４）は、前記取付環部材（３）の側に位置するピン端に鍔部（２３）を有し、前記ピン孔（９）に挿入固定された状態で前記鍔部（２３）が前記鈎部材（２）の前記鍔部（８）に係合する請求項１又は２に記載のなす環。
【発明の詳細な説明】
【技術分野】
【０００１】
本発明は、かばん、バッグなどの袋物に、例えば、肩掛けベルトを連結するための、いわゆるなす環に関するものである。
【背景技術】
【０００２】
一般に、袋物用のなす環は、鈎部材と、これに回動可能に連結された取付環部材と、ばね付勢下に旋回可能に連結された閉止部材とから構成されている。前記閉止部材は、前記鈎部材にその横方向へ貫通する保持ピンで保持されるとともに、前記ばねとしては、一般に、ねじりコイルばねが装着されている（特許文献１、非特許文献１参照）。
【０００３】
特に、非特許文献１について述べると、これは図４に示してあるように、なす環１０１は、鈎部材１０２に取付環部材１０３を回動可能かつ抜脱不能に連結し、鈎部材１０２に閉止部材１０４を鈎部材１０２にその横方向に貫通する支持ピン１０５で旋回可能に支持して連結するとともに、支持ピン１０５で支持するねじりコイルばね１０６の一方のアーム１０６ａを鈎部材１０２の内面に、かつ、これに対向する閉止部材１０４の内面に他方のアーム１０６ｂを圧接することで、閉止部材１０４で鈎部材１０２を開放可能に閉止するように構成されている。
【特許文献１】登録実用新案第３０３３９７５号公報
【非特許文献１】図４に示すなす環
【発明の開示】
【発明が解決しようとする課題】
【０００４】
特許文献１及び非特許文献１に開示のなす環では、鈎部材に閉止部材を旋回可能に支持して連結するのに、それらを横方向に貫通する支持ピンを使用するので、前記支持ピンの両端部が鈎部材の外面に露出する。このように露出すると、鈎部材の外面に、例えば、ハウスマーク、商標、装飾絵図などの表示を刻設することが困難になり、かりにそうではないとしても、その表示を明確にすることができない。
【０００５】
また、特許文献１及び非特許文献１に開示のなす環では、閉止部材を旋回可能に付勢させるのに、ねじりコイルばねを使用するので、閉止部材の旋回頻度によっては金属疲労で折損したりばね作用が減少したり、さらには、なす環の内部における装着安定性が低下し、鈎部材と閉止部材との両係合部を互いに確実に係合させることができず、そのため、袋物の取付環部材に対する連結が不用意に解かれたりすることがある。
【０００６】
本発明は、前述のような従来技術の欠点を比較的簡単な手段で解決することを課題とする。
【課題を解決するための手段】
【０００７】
本発明は、第１係合部を有する鈎部材と、前記鈎部材に回動可能かつ抜脱不能に連結された取付環部材と、前記鈎部材に旋回可能に連結され、前記鈎部材との間に介在保持されたばねを介して、前記第１係合部に離反可能に弾性的に圧接する第２係合部を有する閉止部材とを含み、前記鈎部材と前記取付環部材とが直列状態に対向する縦方向と、これに直交する横方向とを有する袋物用なす環を改良することにある。
【０００８】
前記改良のための本発明は、下記事項を特徴とする。
前記鈎部材は、前記取付環部材の側に位置する端部と、前記端部上に位置する軸部と、前記端部及び前記軸部を前記縦方向へ貫通するピン孔と、前記鈎部材の先端内面に前記第１係合部を有する鈎部と、前記閉止部材の側に開口し前記ピン孔と連通する凹溝部とを含む。
前記取付環部材は、前記鈎部材の前記軸部に回動可能かつ抜脱不能に連結する円筒連結部を含む。
前記閉止部材は、前記鈎部材の前記凹溝部に摺動かつ旋回可能に嵌入される基部及び該基部から前記横方向へ延びる長い係合孔を有する連係部と、前記閉止部材の先端外面に前記第２係合部とを含む。
前記ばねとして、圧縮コイルばねを備え、前記圧縮コイルばねは、前記鈎部材の前記端部の近傍の内面部位と該部位と対向する前記閉止部材の内面部位との間に圧縮状態で介在して支持される。
前記鈎部材のピン孔には、前記鈎部材の前記軸部及び前記端部を経て、前記凹溝部に位置する前記閉止部材の前記連係部の前記係合孔を貫通する保持ピンが挿入固定される。
前記閉止部材は、前記保持ピンを中心に前記圧縮コイルばねの作用に抗して旋回することにより、前記閉止部材の前記第２係合部が、前記鈎部材の前記第１係合部に離反可能に圧接して係合する。
【０００９】
本発明の好ましい実施の形態においては、前記鈎部材の前記軸部は、前記取付環部材の側に鍔部を有し、前記取付環部材の前記円筒連結部は、前記鍔部が係合する係合開口を該円筒連結部の両側部に有し、その係合により、前記鈎部材と前記取付環部材との相対的抜脱を阻止されている。
さらに、本発明の好ましい実施の形態においては、前記保持ピンは、前記取付環部材の側に位置するピン端に鍔部を有し、前記ピン孔に挿入固定された状態で前記鍔部が前記鈎部材の前記鍔部に係合する。
【発明の効果】
【００１０】
本発明に係る袋物用なす環によれば、鈎部材に閉止部材を保持するための保持ピンが、鈎部材の内部をその縦方向に貫通して鈎部材の外面に露出することがないので、鈎部材の外面に、例えば、ハウスマーク、商標、装飾絵図などの表示を刻設することができる。また、閉止部材を旋回可能に付勢させるための付勢ばねとして、圧縮コイルばねを装着しているので、なす環の内部における装着安定性が高く、鈎部材と閉止部材との両係合部を互いに確実に係合させて、袋物の取付環部材に対する連結を確実に保持することができるとともに、閉止部材の旋回頻度が比較的高くなっても、圧縮コイルばねが金属疲労で折損したりばね作用が減少したりすることがない。
【発明を実施するための最良の形態】
【００１１】
図１〜図３において、本発明に係る袋物用なす環１は、金属製であって、基本的には、鈎部材２と、取付環部材３と、閉止部材４とから構成され、鈎部材２と取付環部材３とが直列に対向する縦方向Ｙとこれに直交する横方向Ｘとを有する。鈎部材２は、かばん、バッグなどの袋物に取付けられた取付環に離脱可能に係止される。
【００１２】
鈎部材２は、縦方向への順に端部６と、軸部７と、鍔部８と、これらを縦方向に貫通するピン孔９とを有する。鈎部材２は、さらに、端部６から延びて湾曲する鈎部１０と、鈎部１０の先端内面に係合部１１とを有する。
【００１３】
取付環部材３は、その中央部に閉塞された頂面１２と、該頂面から鈎部材２の側へ延びる円筒連結部１４と、該連結部の両側面に形成された係合開口１３とを有する。
【００１４】
閉止部材４は、鈎部材２の凹溝部１８に摺動かつ旋回可能に嵌入される基部１６ａ及び該基部から前記横方向Ｘへ延びる長い係合孔１５を有する連係部１６ｂと、連係部１６ｂの近傍に位置する閉止部材４の内面に鈎部材２の側への突起部２２と、先端外面に係合部１７とを有する。
【００１５】
鈎部材２は、さらに、閉止部材４の側に開口する凹溝部１８を有する。凹溝部１８の延びる方向と直角に交差する幅Ｗは、閉止部材４の連係部１６ｂの両側面１９が凹溝部１８の対向内面に摺接する寸法に、かつ、凹溝部１８の高さＨは、閉止部材４の後記連係部１６ｂの旋回を許容する寸法に形成されている。
【００１６】
鈎部材２は、さらに、凹溝部１８の下壁２０を有する。下壁２０の内面部位と該部位が対向する閉止部材４の内面部位とは、突起２１，２２を有する。なす環１は、さらに、鍔部２３が形成された保持ピン２４と、突起２１，２２に支持される圧縮コイルばね２５とを有する。
【００１７】
図３に示すように、鈎部材２の凹溝部１８には、閉止部材４の連係部１６ｂが凹溝部１８の横方向側部の開口から、時計方向及び反時計方向（図上、以下同じ）へ摺動かつ旋回可能に嵌入されている。この状態で、鈎部材２と閉止部材４の内側面に位置する突起部２０、２２の間には、圧縮コイルばね２５が圧縮介在されている。鈎部材２のピン孔９には、鍔部８の頂面から保持ピン２４が挿入固定されている。保持ピン２４の鍔部２３は、鍔部８の頂面に係合されている。保持ピン２４は、さらに閉止部材４の連係部１６ｂの係合孔１５をも貫通しており、その貫通は、閉止部材４の連係部１６ｂの旋回を許容する遊嵌状態にされていて、閉止部材４の横方向外側への抜脱を阻止している。鈎部材２の鍔部８及び軸部７には、取付環部材３の円筒連結部１４が回動可能に嵌合されているとともに、鍔部８の外周縁の一部が円筒連結部１４の係合開口１３に係合され、この係合によって取付環部材３の鈎部材２からの抜脱が阻止されている。なお、この係合状態は、例えば、円筒連結部１４の下側部をその径方向へかしめることによって保持されている。
【００１８】
前述のように組み立てられたなす環１において取付環部材３は鈎部材２に対して、または鈎部材２は取付環部材３に対して、つまり、鈎部材２と取付環部材３とは相対的に、鈎部材２の軸部７を中心に回動可能である。
【００１９】
閉止部材４は、なす環１の時計方向へ押圧されると、保持ピン２４を中心に圧縮コイルばね２５に抗して時計方向へ旋回する。その結果、鈎部材２の係合部１１に対して係合していた閉止部材４の係合部１７が係合部１１から離反する。したがって、その離反状態で、鈎部材２の鈎部１０を、例えば、袋物に取付けた取付環（図示せず）に係止させることができる。なす環１の時計方向への押圧が解かれると、閉止部材４は、圧縮コイルばね２５の圧縮復元（付勢）によって反時計方向へ旋回し、係合部１１，１７が互いに係合する。
【図面の簡単な説明】
【００２０】
【図１】本発明に係る袋物用なす環の斜視図。
【図２】なす環の分解斜視図。
【図３】図１のＩＩＩ−ＩＩＩ線に沿う断面図。
【図４】従来技術に係る袋物用なす環の分解斜視図。
【符号の説明】
【００２１】
１    なす環
２    鈎部材
３    取付環部材
４    閉止部材
７    軸部
８    鍔部
９    ピン孔
１０    鈎部
１１    係合部
１３    係合開口
１５    係合孔
１４    円筒連結部
１５    透孔
１６ａ    基部
１６ｂ    連係部
１７    係合部
１８    凹溝部
２４    保持ピン
２５    圧縮コイルばね
【図１】
0004541065.tif 000002
【図２】
0004541065.tif 000003
【図３】
0004541065.tif 000004
【図４】
0004541065.tif 000005